(57)【要約】モバイル端末内でエネルギを節約する方法であって、  −第１送信頻度で制御メッセージを送信する、モバイル端末使用中期間（１）と呼ばれる第１期間と、  −第２送信頻度で制御メッセージを送信する、モバイル端末アイドル期間（２）と呼ばれる第２期間とを含み、アイドル期間から使用中期間へまたはその逆の遷移は、モバイル端末の動きおよびタイムアウトに依存する方法。
2013511234.tif 000002
【特許請求の範囲】
【請求項１】
モバイル端末内でエネルギを節約する方法であって、
第１送信頻度で制御メッセージを送信する、モバイル端末使用中期間（１）と呼ばれる第１期間と、
第２送信頻度で制御メッセージを送信する、モバイル端末アイドル期間（２）と呼ばれる第２期間と
を含み、アイドル期間から使用中期間へまたはその逆の遷移は、前記モバイル端末の動きおよびタイムアウトに依存し、アイドル期間中に受信された呼は、前記モバイル端末が使用中期間に切り替わるや否や要約される方法。
【請求項２】
アイドル期間から使用中期間への前記遷移は、
前記モバイル端末の動きが事前定義のアイドル期間タイムアウト中に検出されるや否や、または
前記タイムアウトの満了の後に
得られることを特徴とする、請求項１に記載の方法。
【請求項３】
使用中期間からアイドル期間への前記遷移は、前記モバイル端末が通信しておらず、前記モバイル端末が動いていないことが事前定義の使用中期間タイムアウト中に検出されるや否や、得られることを特徴とする、請求項１に記載の方法。
【請求項４】
前記第１制御メッセージ送信頻度は、前記モバイル端末によって使用中の通信プロトコルによって指定されることを特徴とする、請求項１に記載の方法。
【請求項５】
前記第２制御メッセージ送信頻度は、前記第１制御メッセージ送信頻度より低いことを特徴とする、請求項１乃至４のいずれか１項に記載の方法。
【請求項６】
前記第２制御メッセージ送信頻度は、零であり、モバイル端末無線インターフェースをオフにすることによって得られることを特徴とする、請求項１乃至５のいずれか１項に記載の方法。
【請求項７】
使用中の制御メッセージ送信頻度とは異なる新しい制御メッセージ送信頻度の使用について、前記モバイル端末が接続される通信ネットワークに通知するステップと、
前記モバイル端末によって使用中の前記制御メッセージ送信頻度を変更するステップと
をも含むことを特徴とする、請求項１乃至５のいずれか１項に記載の方法。
【請求項８】
モバイル端末であって、
前記モバイル端末の動きを検出することを可能にする動きセンサと、
タイマと、
前記動きセンサから送られた情報および前記タイマからの時間を使用し、結果として、現在使用中の制御メッセージ送信頻度とは異なる制御メッセージ送信頻度を選択することと、使用中期間への切替時に、アイドル期間中に前記モバイル端末で受信された呼を要約することとを可能にする論理ユニットと
を含むモバイル端末。
【請求項９】
前記選択される制御メッセージ送信頻度は、零であり、モバイル端末無線インターフェースをオフにすることによって得られることを特徴とする、請求項８に記載のモバイル端末。
【請求項１０】
前記選択される制御メッセージ送信頻度は、前記モバイル端末によって使用中の通信プロトコルによって指定されることを特徴とする、請求項８に記載のモバイル端末。
【請求項１１】
コンピュータ処理ユニット内で実施でき、請求項１乃至７のいずれか１項に記載の方法を実施する命令を含む、記憶媒体上で実施されたコンピュータ・プログラム製品。
【発明の詳細な説明】
【技術分野】
【０００１】
本発明は、モバイル通信端末または類似するデバイスなど、通信ネットワークに無線で接続された再充電可能電子デバイスに関する。
【背景技術】
【０００２】
本明細書では、「モバイル端末」は、時間制限付きの自律給電を有するすべてのポータブル・ユーザ・デバイスを意味する。携帯電話機、ＰＤＡ（携帯情報端末）、およびいわゆるスマートホンを、モバイル端末の非網羅的な例として列挙することができる。他の用語法によれば、モバイル端末は、時々、表現「移動局」または「モバイル・デバイス」によっても表される。
【０００３】
これらのモバイル端末は、通常、Ｐｕｂｌｉｃ  Ｌａｎｄ  Ｍｏｂｉｌｅ  Ｃｏｍｍｕｎｉｃａｔｉｏｎｓ  Ｎｅｔｗｏｒｋ（たとえば、ＧＳＭ、ＧＰＲＳ、Ｗ−ＣＤＭＡ、ＵＭＴＳ、ＷＩＭＡＸ、またはＬＴＥ）、ＧＰＳネットワーク、または短距離無線ネットワーク（たとえば、Ｗｉｆｉ、無線ＬＡＮ、Ｈｏｍｅ  ＲＦ、またはＺｉｇＢｅｅ）などの通信ネットワークに無線で接続される。これを行うために、これらのモバイル端末は、それが接続される通信ネットワーク（１つまたは複数）との無線相互作用（送信／受信）用のモジュールを備える。
【０００４】
たとえば、
−潜在的な相互作用（たとえば、着呼またはメッセージ）を継続的に受信できるようになるため、または
−その存在を継続的にシグナリングするために（たとえば、接続ノードを判定するために）
モバイル端末は、それが接続される通信ネットワーク上の、通常は固定されたノードと制御メッセージを周期的に交換することができる。
【０００５】
ある用語法によれば、これらの制御メッセージは、ページングと呼ばれる。モバイル端末上の送信インターフェースを介するこれらの制御メッセージの送信は、経時的に反復される。
【０００６】
しかし、通信ネットワークとの制御メッセージのこの周期的交換は、必ずエネルギ消費に影響し、その結果、モバイル端末内のオンボード・エネルギ・リソース（特に電池）の自律性に影響する。
【０００７】
実際に、自動的に制御メッセージを送信することが、エネルギ消費を生成し、このエネルギ消費は、モバイル端末の自律性の長さを大幅に損なう可能性がある。
【発明の概要】
【発明が解決しようとする課題】
【０００８】
本発明の一目的は、モバイル端末のエネルギ自律性を最適化することである。
【０００９】
本発明のもう１つの目的は、モバイル端末のモビリティのすばやい拡張をよりよく提供することである。
【００１０】
本発明のもう１つの目的は、モバイル端末による制御メッセージの送信頻度を最適化することである。
【００１１】
本発明のもう１つの目的は、モバイル端末によって送信される制御メッセージの最適自動位相合わせを可能にすることである。
【００１２】
本発明のもう１つの目的は、制御メッセージ送信効率とエネルギ・リソースに関してこれが生成するコストとの間のよりよい妥協を提供することである。
【課題を解決するための手段】
【００１３】
そのために、本発明は、第１の態様に従って、モバイル端末内でエネルギを節約する方法であって、
−第１送信頻度で制御メッセージを送信する、モバイル端末使用中期間と呼ばれる第１期間と、
−第２送信頻度で制御メッセージを送信する、モバイル端末アイドル期間と呼ばれる第２期間と
を含み、アイドル期間から使用中期間へまたはその逆の遷移は、モバイル端末の動きおよびタイムアウトに依存し、アイドル期間中に受信された呼は、モバイル端末が使用中期間に切り替わるや否や要約される方法を開示する。
【００１４】
有利なことに、
−アイドル期間から使用中期間への遷移は、モバイル端末の動きがアイドル期間内の事前定義のタイムアウト中に検出されるや否や、またはタイムアウトの満了の後に得られ、
−使用中期間からアイドル期間への遷移は、モバイル端末が通信しておらず、モバイル端末が動いていないことが事前定義の使用中期間タイムアウト中に検出されるや否や、得られる。
【００１５】
本発明は、第２の態様によれば、モバイル端末であって、
−モバイル端末の動きを検出することを可能にする動きセンサと、
−タイマと、
−動きセンサから送られた情報およびタイマからの時間を使用し、結果として、現在使用中の制御メッセージ送信頻度とは異なる制御メッセージ送信頻度を選択することと、使用中期間への切替時に、アイドル期間中にモバイル端末で受信された呼を合成することとを可能にする論理ユニットと
を含むモバイル端末に関する。
【００１６】
第３の態様によれば、本発明は、情報処理ユニット内で実施でき、上で要約された方法を実行する命令を含む、記憶媒体上で実施されたコンピュータ・プログラム製品を提案する。
【図面の簡単な説明】
【００１７】
【図１】使用中期間からアイドル期間に、及びアイドル期間から使用中期間に遷移する手順を示す図である。
【発明を実施するための形態】
【００１８】
本発明の他の特性および利益は、より具体的には異なるエネルギ消費を有する２つのモバイル端末動作モードの間の遷移ステップを絵図的に示す図１を参照して好ましい実施形態の次の説明を読んだ後に、より明瞭になる。
【００１９】
以下では、モバイル端末の２つのタイプの期間すなわち、
−モバイル端末使用中期間、および
−モバイル端末アイドル期間
を区別する。
【００２０】
「アイドル」とは、本明細書では、機械的な力がモバイル端末に印加されない期間を意味する。通常、端末は、単純に支持体（たとえば、机、たんすの箱、地面、またはナイトテーブル）に乗っている。
【００２１】
特に、モバイル端末の通常の使用を考慮すると、ユーザのモバイル端末へのそのユーザからの機械的応力の欠如は、モバイル端末のアイドル期間に対応すると考えることができる。そうではない場合には、モバイル端末が使用中期間にあると言うことができる。言い替えると、力がモバイル端末に加えられ、その移動または操作を引き起こす場合に、モバイル端末が使用中期間にあると仮定することができる。一例として、モバイル端末が、移動しつつあるユーザによって直接にまたは間接に持たれる場合、またはモバイル端末が使用中である（たとえば、ゲーム、テキスト・メッセージング、または会話）場合に、モバイル端末は、使用中期間にあると考えることができる。
【００２２】
好ましくは、モバイル端末使用中期間中に、制御メッセージ送信頻度は、モバイル端末によって使用中の通信プロトコルによって指定されるデフォルト頻度である。
【００２３】
モバイル端末アイドル期間中に、制御メッセージ送信頻度は、モバイル端末によって使用中の通信プロトコルによって定義されるものとは異なる。
【００２４】
特に、モバイル端末アイドル期間内の制御メッセージ送信頻度は、モバイル端末によって使用中の通信プロトコルによって定義されるものより長い。
【００２５】
特に、アイドル期間中に、モバイル端末のネットワーク相互作用は、エネルギを最もよく節約するために、制限され、あるいは定期的にまたは完全に停止されさえする。
【００２６】
端末がアイドル期間内により低い頻度で制御メッセージを送信するという事実は、オンボード・エネルギを節約することができる。これを、特に他のエネルギ節約手段（たとえば、オフにされたディスプレイ・スクリーン、非アクティブ化された着信音、アクティブ化されたサイレント・モード、または非アクティブ化された振動する呼識別）と組み合わせることができる。
【００２７】
その結果は、モバイル端末が接続される通信ネットワークに送信される制御メッセージの送信頻度が、モバイル端末使用中期間とアイドル期間との間で変化することである。言い替えると、モバイル端末が制御メッセージを送信する頻度は、モバイル端末の移動に依存する。モバイル端末のモビリティおよび操作は、制御メッセージ送信頻度を決定する際に考慮に入れられる。
【００２８】
モバイル端末は、使用中期間中には十分にしばしば制御メッセージを送信しなければならないが、アイドル期間中には十分に少なく送信する。
【００２９】
それを行うために、モバイル端末は、
−動きセンサと、
−タイマと、
−処理用の論理ユニットと
を備える。
【００３０】
動きセンサは、モバイル端末の動きを検出することができる。動きセンサは、たとえば、
−モバイル端末に働く圧力（タッチ）、または
−モバイル端末が全く単純に移動しつつあること
を検出することを可能にする。
【００３１】
好ましくは、動きセンサは、小型３軸ＭＥＭＳ（微小電気機械システム）動きセンサである。ＳＴ  Ｍｉｃｒｏｅｌｅｃｔｒｏｎｉｃｓ（商標）によって販売されるＬＩＳ３３１ＤＬＨ  ３軸加速度計が、動きセンサの例である。
【００３２】
動きセンサによってリアル・タイムで収集される情報は、論理ユニットを使用して、モバイル端末使用中期間またはアイドル期間のいずれかとマッチングされる。実際には、動きセンサによって収集される情報を処理する論理ユニットは、
−モバイル端末無線インターフェースをオフ／オンにし、
−動きセンサを構成し、すなわち、動きセンサの感度を変更し、動きセンサによって返された測定値を処理し（たとえば、減らし、増幅し、較正し、平均をとり）、
−動きセンサによって検出された動きに日付を付けることを可能にするタイマをトリガ／停止し、
−モバイル端末の期間のタイプ（使用中期間またはアイドル期間）を判断する（この判断は、タイマからの時間に従って、動きセンサによって返された測定値（生のまたは変更された）とユーザが変更できる事前定義の値との間の比較によって得られる）
ことを可能にする。
【００３３】
一実施形態では、論理ユニットは、
−使用中の通信プロトコルに従って、モバイル端末によって使用される新しい制御メッセージ送信頻度について通信ネットワークに通知し、
−制御メッセージ送信頻度を変更する
ことをも可能にする。
【００３４】
論理ユニットを、モバイル端末に適合されたグラフィカル・ユーザ・インターフェースを介して構成することができる。このグラフィカル・インターフェースは、
−動きセンサを構成する命令（たとえば動きセンサによって実行される、１時間あたりの測定の回数を指定するために、動きセンサの機能のタイム・シーケンスをセットするスケジュールを定義する）
−動きセンサをオフ／オンにする命令
−センサの感度を変更する命令（たとえば、動きが検出される最小しきい値を定義する）
−モバイル端末を使用中期間からアイドル期間に切り替えるために、その間にモバイル端末による動きが検出されない少なくとも１つの最短時間間隔を定義する命令
−モバイル端末アイドル期間のＩＰ（アイドル期間）タイムアウト（持続時間）を指定する命令
−モバイル端末使用中期間のＩＵＰ（使用中期間）タイムアウト（持続時間）を指定する命令
−モバイル端末使用中期間およびモバイル端末アイドル期間のタイム・シーケンスをセットする命令
−使用中期間からアイドル期間へまたはその逆へモバイル端末を切り替えるために満足されなければならない条件（たとえば、検出される動きの強さ、現在のタイマ時間）をリストする命令
−モバイル端末アイドル期間中に受信される呼の電鈴（たとえば、バイブレータ、着信音、または光信号）を構成する命令。これらの呼は、存在する場合に、アイドル期間から使用中期間へのモバイル端末の遷移の後に要約される
−モバイル端末使用中期間とモバイル端末アイドル期間との間の区別をアクティブ化／非アクティブ化する命令
を含む。
【００３５】
一実施形態では、論理ユニットは、
−１つまたは複数の制御メッセージ送信頻度を定義すること
−電子カレンダを照会し、事前に記録されたイベントについて、たとえば制御メッセージ送信頻度と事前定義のアイドル期間について検出される動きの強さ（たとえば、会議、毎日午前１０時から午後８時まで）との間の対応、および潜在的に他の省エネルギ測定値を含むデータを抽出すること
を可能にする。
【００３６】
ここで図１を参照するが、図１は、使用中期間からアイドル期間におよびその逆に遷移する手順を示す。
【００３７】
モバイル端末が、アクティブの無線インターフェースによってマークされる使用中期間１である場合に、第１テスト１１に従って、モバイル端末が呼を行っている間または動きが動きセンサ３によって検出される間に、モバイル端末は、使用中期間１に留まり、第１テスト１１は、満足されないままになる。
【００３８】
第１テスト１１に従って、動きセンサ３がもはや動きを検出しなくなり、モバイル端末が電話をかけていなくなるや否や、タイマが、事前定義のＩＵＰ持続時間についてセットされる（図１のステップ４）。
【００３９】
ＩＵＰタイムアウトを開始する際に、第２テスト１２がアクティブ化される。この第２テスト１２に従って動きが検出されるや否や、モバイル端末は、使用中期間１に戻される。そうではなく、ＩＵＰタイムアウト持続時間全体にわたって第２テスト１２に従って動きが全く検出されずに、第３テスト１３に従ってＩＵＰタイムアウトが満了する場合には、モバイル端末は、アイドル期間２にあると仮定され、このアイドル期間２中には、
−無線インターフェースがオフにされ、
−タイマが、事前定義のＩＰ持続時間についてセットされる。
【００４０】
モバイル端末がアイドル期間２にあることを考慮すると、第４テスト１４に従って動きセンサ３が動きを検出せず、第５テスト１５に従ってＩＰタイムアウトがまだ満了していない限り、モバイル端末は、アイドル期間２に留まる。
【００４１】
テスト１１、１２、および１４を論理ユニット内でプログラムすることができ、その結果、これらのテストは、たとえば、
−動きセンサ３によって検出される動きの強さがあるしきい値を超える時
−動きセンサ３によって検出される動きの強さが２つの事前定義の値の間にある時
に動きを検出すると判断するのみになる。
【００４２】
モバイル端末は、ＩＰタイムアウトの長さの間にアイドル期間２に留まり、言い替えると、モバイル端末無線インターフェースは、ＩＰタイムアウトの長さの間に第４テスト１４に従ってモバイル端末の動きが検出されない限り、オフのままになる。
−タイマの時間ｔが、第５テスト１５に従ってアイドル期間のＩＰタイムアウトの終りに達する、または
−第４テスト１４に従ってモバイル端末の動きが検出される
場合には、モバイル端末は、無線インターフェースの始動によってマークされる使用中期間１を開始する。この期間中には、モバイル端末は、その通常動作に戻る。
【００４３】
ユーザによってまだ受け取られていない、モバイル端末アイドル期間２中に受信された呼が、端末が使用中期間１に切り替わるや否や端末によって要約される（図１のステップ５）ことに留意されたい。
【００４４】
「呼」とは、テキスト・メッセージ（たとえば、ＳＭＳメッセージ）、オーディオ・メッセージ（たとえば、音声メール）、電子メール、またはモバイル端末によって生成される内部通知（たとえば、システム手帳メモ）を意味する。
【００４５】
電鈴は、モバイル端末が使用中期間１になるや否や再始動され、これは、ユーザが、重要なメッセージ（ＳＭＳ、ＭＭＳ、電子メール、電子カレンダ・リマインダ、音声メール、不在着信、または通信ネットワークからの通知）についてできる限り速く警告を受ける機会を増やす。
【００４６】
モバイル端末が使用中期間１にあることを考慮すると、第１テスト１１に従って、モバイル端末が電話をかけておらず、動きが検出されない場合に、モバイル端末は、タイマの時間ｔがＩＵＰタイムアウトの終りに達するか第２テスト１２に従って動きが検出されるまで、使用中期間１に留まる。
【００４７】
タイマの時間ｔが、ＩＵＰタイムアウトの長さ全体を通じて動きが全く検出されずに使用中期間１のＩＵＰタイマの終りに達する場合には、モバイル端末は、アイドル期間２のＩＰタイムアウトを開始する。モバイル端末は、ＩＰタイムアウトの長さの間に動きが検出されない限り、アイドル期間２であり続ける。
【００４８】
もう１つの実施形態では、モバイル端末がアイドル期間２にある時に、無線インターフェースをオフにせずに、使用中期間１で使用されるものより低い制御メッセージ送信頻度が選択される。それを行うために、アイドル期間２の始めに、無線インターフェースは、
−その制御メッセージ送信頻度の変更について通信ネットワークに通知し、その後、
−その制御メッセージ送信頻度を変更する。
【００４９】
一変形形態では、
−端末がアイドル期間２にあり、
−第５テスト１５に従って動きセンサ３によって動きが検出されない
限り、モバイル端末は、タイマの時間ｔがアイドル期間のＩＰタイムアウトを超えていない場合であっても、アイドル期間（無線インターフェース・オフ）に留まる。
【００５０】
一変形形態では、説明したばかりの方法は、モバイル端末の動きに加えて、使用中期間とアイドル期間との間の遷移に関する事前に記録されたスケジューリングされたシーケンスを考慮に入れることができる。
【００５１】
その代わりにまたは組み合わせて、説明したばかりの方法は、近接センサまたは接触センサなど、動きセンサ（加速度計）以外のセンサを実施する。
【００５２】
特に、制御メッセージ送信頻度が、
−好ましくは制御メッセージが送信されない（無線インターフェース・オフ）か非常に少数の制御メッセージが送信される（使用中の通信プロトコルによって定義されるものより低い制御メッセージ送信頻度の使用）アイドル期間と、
−制御メッセージ送信頻度がモバイル端末によって使用中の通信プロトコルによって定義される使用中期間との間
で異なることに留意されたい。
【００５３】
有利なことに、上で説明したさまざまな実施形態は、制御メッセージの送信に必要な周波数リソースをより少なく占めることによって帯域幅を節約することを可能にする。
【００５４】
有利なことに、説明したばかりの実施形態は、制御メッセージで通信ネットワークを過負荷にしないことを可能にする。さらに、通信ネットワーク側では、アイドル期間のモバイル端末（ネットワーク・インフラストラクチャに関して固定され、したがって、その位置が通信ネットワーク・ページング・キャッシュ内で変更されない）と相互作用することよりも、使用中期間のモバイル端末（特に移動している時）と定期的に相互作用する（特に、測位する）ことの方が有用である。
【００５５】
有利なことに、説明したばかりの方法は、
−モバイル端末によって送信される電磁波の人体に対する悪影響を減らし、
−他の電子回路との干渉問題を減らす
ことを可能にする。
【図１】
2013511234.tif 000003
【国際調査報告】
2013511234.tif 000004
2013511234.tif 000005
2013511234.tif 000006
2013511234.tif 000007
2013511234.tif 000008
2013511234.tif 000009